(57)【要約】集積回路１は、タイミング・クロージャ監視回路２を備える。タイミング・クロージャ監視回路２は、監視対象の論理パス３と同じ特性を有する複製パス１９を含む。複製パス１９は、基準発生ユニット（ＲＧＵ）２４からパルス基準信号２３を受信する。パルス基準信号２３は、クロック信号１３と同期し、複製パス１９を介して、基準検査ユニット（ＲＣＵ）２５に渡される。タイミング・クロージャが保証される通常モードの動作においては、割込み信号を割込みライン３３上に発生させないように、クロック信号１３は、パルス基準信号２３をサンプリングする。しかし、パルス基準信号２３が複製パス１９を介して受信される前に、基準検査ユニット２５がクロック信号１３によって刻時される状況では、割込み信号が割込みライン３３上に発生させられて、タイミング・クロージャが保証され得ないことを通知する。
2006527848.tif 000002
【特許請求の範囲】
【請求項１】
集積回路の論理パスにおいてタイミング・クロージャを監視するためのタイミング・クロージャ監視回路を備える集積回路であって、
前記タイミング・クロージャ監視回路は、
所定の基準信号を発生させるための信号発生器と、
監視対象の前記論理パスと一致する特性を有し、前記信号発生器から前記基準信号を受信するように接続される複製論理パスと、
前記複製論理パスから出力信号を受信し、監視対象の前記論理パスにおけるタイミング・クロージャのステータスを示す出力信号を提供するように構成される監視手段と、を含む、
集積回路。
【請求項２】
前記複製パスの前記出力が所定量だけ遅延させられている場合、前記監視手段が、タイミング・クロージャ違反信号を提供するように構成される、請求項１に記載の集積回路。
【請求項３】
前記集積回路が、監視対象の前記論理パスを刻時するためのクロック信号を含み、前記クロック信号が、前記基準信号を発生させる前記信号発生器によっても、および前記複製論理パスの前記出力のステータスを監視するための前記監視手段によっても使用される、請求項１または２に記載の集積回路。
【請求項４】
前記信号発生器によって発生させられる前記基準信号が、前記クロック信号と同期させられる、請求項３に記載の集積回路。
【請求項５】
前記基準信号が、前記クロック信号の立ち上がりエッジと同期させられる、請求項４に記載の集積回路。
【請求項６】
前記信号発生器によって発生させられる前記基準信号が、前記クロック信号に対して遅延させられる、請求項３乃至５のいずれかに記載の集積回路。
【請求項７】
前記基準信号が、前記クロック信号に対して、（ｐｒｏｐ＿ｄｅｌａｙ）−（（１／２）ｄｅｓｉｇｎ＿ｍａｒｇｉｎ）に等しい量だけ遅延させられ、ｐｒｏｐ＿ｄｅｌａｙは、前記論理パスを駆動する処理ユニットの伝播遅延であり、設計余裕は、タイミング・クロージャを検出するための前記回路の感受性に関係する、請求項６に記載の集積回路。
【請求項８】
前記信号発生器が、設計余裕に基づいて予め決定されるパルス幅を有する基準信号を発生させるように構成される、請求項１乃至７のいずれかに記載の集積回路。
【請求項９】
前記設計余裕が、タイミング・クロージャ違反を検出するための前記タイミング・クロージャ監視回路の感受性を決定する、請求項８に記載の集積回路。
【請求項１０】
前記複製論理パスが、監視対象の前記論理パスの遅延および／または構成特性と一致するように構成される、請求項１乃至９のいずれかに記載の集積回路。
【請求項１１】
前記複製論理パスが、監視対象の前記論理パスの前記特性と一致するための１つまたは複数のバッファ・ステージを備える、請求項１０に記載の集積回路。
【請求項１２】
前記バッファ・ステージが、監視対象の前記論理パスと同数のスイッチング・ゲートを含む、請求項１１に記載の集積回路。
【請求項１３】
前記タイミング・クロージャ違反信号が、割込み信号を発生させるのに使用される、請求項２に記載の集積回路。
【請求項１４】
前記タイミング・クロージャ違反信号が、前記集積回路の第２のタイミング・クロージャ監視回路に供給され、前記第１および第２のタイミング・クロージャ監視回路が、直列割込み信号を発生させる、請求項２に記載の集積回路。
【請求項１５】
監視対象の前記論理パスが、前記集積回路内のクリティカル・パスである、請求項１乃至１４のいずれかに記載の集積回路。
【請求項１６】
前記集積回路の１つまたは複数のさらなる論理パスにおいてタイミング・クロージャを監視するため、１つまたは複数のさらなるタイミング・クロージャ監視回路を備える、請求項１乃至１５のいずれかに記載の集積回路。
【請求項１７】
前記監視手段が、ラッチを含む、請求項１乃至１６のいずれかに記載の集積回路。
【請求項１８】
前記監視手段の前記出力信号が、監視対象の前記論理パス内のタイミング・クロージャを制御するのに使用される、請求項１乃至１７のいずれかに記載の集積回路。
【請求項１９】
集積回路の論理パスにおいてタイミング・クロージャを監視する方法であって、
所定の基準信号を発生させるステップと、
監視対象の前記論理パスに対応する複製論理パスを提供するステップと、
前記基準信号を前記複製論理パスに通すステップと、
前記複製論理パスの出力を監視し、前記複製論理パスの出力を使用して、監視対象の前記論理パスにおけるタイミング・クロージャのステータスを示す出力信号を生成するステップと、を備える方法。
【請求項２０】
前記複製パスの前記出力が所定量だけ遅延させられている場合、前記出力信号が、タイミング・クロージャ違反信号を通知する、請求項１９に記載の方法。
【請求項２１】
前記論理パスを刻時するために提供されるクロック信号が、前記基準信号を発生させるため、および前記複製パスの前記出力を監視するために使用される、請求項１９または２０に記載の方法。
【請求項２２】
前記基準信号が、前記クロック信号と同期させられる、請求項２１に記載の方法。
【請求項２３】
前記基準信号が、前記クロック信号に対して遅延させられる、請求項２２に記載の方法。
【請求項２４】
前記基準信号が、前記クロック信号に対して、（ｐｒｏｐ＿ｄｅｌａｙ）−（（１／２）ｄｅｓｉｇｎ＿ｍａｒｇｉｎ）に等しい量だけ遅延させられ、ｐｒｏｐ＿ｄｅｌａｙは、前記論理パスを駆動する処理ユニットの伝播遅延であり、設計余裕は、タイミング・クロージャを検出するための前記回路の感受性に関係する、請求項２３に記載の方法。
【請求項２５】
前記基準信号のパルス幅が、所定の設計余裕に基づいて選択される、請求項１９乃至２４のいずれかに記載の方法。
【請求項２６】
前記設計余裕が、タイミング・クロージャ違反を検出するための前記タイミング・クロージャ監視回路の感受性に関係する、請求項２５に記載の方法。
【請求項２７】
前記複製論理パスが、監視対象の前記論理パスの遅延および／または構成特性と一致するように構成される、請求項１９乃至２６のいずれかに記載の方法。
【請求項２８】
監視対象の前記論理パスが、前記集積回路内のクリティカル・パスである、請求項１９乃至２７のいずれかに記載の方法。
【請求項２９】
前記複製論理パスが、
前記集積回路内のクリティカル論理パスを識別することと、
前記クリティカル・パスを１つまたは複数のステージに分解することと、
前記分解するステップにおいて識別された前記ステージに対応するバッファ・ステージを、監視対象の前記論理パスの前記ステージと同じ特性を有するように構成することと、
前記構成するステップにおいて構成された前記バッファ・ステージを用いて前記複製パスを合成することと、によって最初に決定される、請求項１９乃至２８のいずれかに記載の方法。
【発明の詳細な説明】
【技術分野】
【０００１】
本発明は、タイミング・クロージャ監視回路を備える集積回路に関し、特に、集積回路の通常作動状態中に用いられるタイミング・クロージャ監視回路および方法に関する。
【背景技術】
【０００２】
標準的な回路設計フローにおいて、タイミング・クロージャは、システムの挙動中に経験される欠陥を伴わずに、一定の速度期待値を満たすシステムまたはモジュールを設計する能力に関する。これは、タイミング違反が回路動作に影響しないこと保証するため、回路設計者が、設計プロセス中に回路をテストできることを意味する。
【０００３】
しかし、例えば１００ｎｍまたはそれを超える技術など、新しいディープ・サブミクロン技術によって回路およびシステムを実装する場合、回路性能は、過度のトランジスタ・リーク、局所的および大域的プロセス変数の影響、ならびに減少した雑音余裕によって、深刻な阻害を受けることがあり得る。そのような性能劣化特性を緩和させるのに役立てようと、ランタイム（すなわちリアルタイム）設計パラメータを適応させる方策が開発されてきた。例えば、エネルギー散逸および／または速度に関してより優れた性能を得るために、電源または動作周波数などシステムの動作条件を操作することが可能である。
【０００４】
そのような方策は、閾値電圧などのパラメータを変更し、そのことが、システム内の個々のゲートそれぞれのタイミングにも影響する。そうすることによって、これらの方策は、何も考慮しなければ、集積回路の遅延パスを変更することもあり得、そのために、システム自体のタイミング・クロージャに違反する。言い換えると、ランタイム・プロセス変動を補償する機構のために、与えられた周波数にとって論理パスが遅くなり過ぎることがあり得る。
【発明の開示】
【発明が解決しようとする課題】
【０００５】
本発明の目的は、タイミング・クロージャ監視回路を備える集積回路と、ランタイムすなわちリアルタイム動作中にタイミング・クロージャを監視できるようにする方法とを提供することである。
【課題を解決するための手段】
【０００６】
本発明の第１の側面によれば、集積回路の論理パスにおいてタイミング・クロージャを監視するためのタイミング・クロージャ監視回路を備える集積回路が提供され、タイミング・クロージャ監視回路は、
−  所定の基準信号を発生させるための信号発生器と、
−  監視対象の論理パスと一致する特性を有し、信号発生器から基準信号を受信するように接続される複製論理パスと、
−  複製論理パスから出力信号を受信し、監視対象の論理パスにおけるタイミング・クロージャのステータスを示す出力信号を提供するように構成される監視手段と、を含む。
【０００７】
本発明の第２の側面によれば、集積回路の論理パスにおいてタイミング・クロージャを監視する方法であって、
−  所定の基準信号を発生させるステップと、
−  監視対象の論理パスに対応する複製論理パスを提供するステップと、
−  基準信号を複製論理パスに通すステップと、
−  複製論理パスの出力を監視し、複製論理パスの出力を使用して、監視対象の論理パスにおけるタイミング・クロージャのステータスを示す出力信号を生成するステップと、を備える方法が提供される。
【０００８】
本発明のより良い理解のため、また本発明をどのように実施し得るかをより明瞭に示すため、今から添付の図面を例として参照する。
【発明を実施するための最良の形態】
【０００９】
図１は、本発明の第１の側面によるタイミング・クロージャ監視回路２を備える集積回路１を示している。集積回路１は一般に、クロック信号１３によって刻時される様々な処理ユニット７、９、１１を接続するための、複数の論理パス３、５（例えばパイプライン・ステージ）を備える。例えばフリップフロップ・バンクなどの論理セクションである第１の処理ユニット７は、入力データ信号１５を受信し、入力データ信号１５は、パイプライン・ステージ３を介してさらなる処理ユニット９に渡され、今度はパイプライン・ステージ５を介して処理ユニット１１に渡される。処理ユニット１１は、出力データ信号１７を発生させる。上で述べたように、処理ユニット７、９、１１およびパイプライン・ステージ３、５は各々、使用中、パラメータ変動を受けることがあり得る。パラメータ変動は、今度はタイミング問題を引き起こして、それにより、パイプライン・ステージ３、５および処理ユニット７、９、１１を通る経路における入力データ信号１５の処理に影響を与えることがあり得る。
【００１０】
本発明の第１の側面によれば、１つまたは複数のパイプライン・ステージ３、５の最悪の場合のパスすなわちクリティカル・パスは、遅延および構成に関して類似の特性をもつ複製パスによって複製される。例えば、パイプライン・ステージ３は、複製パス１９によって複製される。同様の方法では、パイプライン・ステージ５は、遅延および構成に関して類似の特性をもつ複製パス２１によって複製される。複製パス１９、２１は好ましくは、非反転出力を有し、複製元のパスと同じ数のトランジスタおよび同じ遅延特性を有する複数のバッファリング・ステージである。
【００１１】
集積回路のステージＡにおける複製パス１９は、基準発生ユニット（ＲＧＵ）２４からパルス基準信号２３を受信する。パルス基準信号２３は、クロック信号１３と同期する。好ましくは、パルス基準信号２３は、クロック信号２３の立ち上がりエッジと同期する。代替として、クロック信号の立ち上がりエッジと立ち下がりエッジのどちらがサンプリング／クロック・エッジとして使用されるかに応じて、パルス基準信号２３が、クロック信号１３の立ち下がりエッジと同期し得ることは理解されるであろう。
【００１２】
パルス基準信号２３は、複製パス１９を介して、以下本明細書で基準検査ユニット（ＲＣＵ）２５と呼ばれる監視手段に渡される。好ましくは、基準検査ユニット２５は、クロック信号１３によって刻時されるラッチである。タイミング・クロージャが保証される通常モードの動作においては、割込み信号を割込みライン３３上に発生させないように、クロック信号１３は、パルス基準信号２３をサンプリングする。言い換えると、パルス基準信号２３が複製パス１９を介して受信された後で、基準検査ユニット２５が刻時されるならば、これは、タイミング・クロージャに違反するほど、複製パスがパルス基準信号２３を遅延させていないことを意味しており、割込み信号を割込みライン３３上に発生させることはない。
【００１３】
しかし、パルス基準信号２３が複製パス１９を介して受信される前に、基準検査ユニット２５がクロック信号１３によって刻時される状況では、割込み信号が割込みライン３３上に発生させられる。言い換えると、パルス基準信号２３が受信される前に、基準検査ユニット２５が刻時される場合、これは、タイミング・クロージャが保証され得ないほど、複製パス１９がパルス基準信号２３を遅延させていることを意味しており、割込み信号を割込みライン３３上に発生させる。
【００１４】
同様の方式で、集積回路のステージＢにおいて、基準発生ユニット３０は、クロック信号１３と同期するパルス基準信号２９を発生させる。パルス基準信号２９は、複製パス２１の中を通される。複製パス２１の出力３２は、さらなるステージ（図示せず）の基準検査ユニットに渡される。同様に、ステージＡの基準検査ユニット３１は、先行ステージ（図示せず）の複製パスからパルス基準信号３４を受信する。前の場合のように、先行セクションからパルス基準信号３４を受信した後で、基準検査ユニット３１が刻時されるならば、割込み信号を割込みライン２７上に発生させることはない。しかし、パルス基準信号３４を受信する前に、基準検査ユニット３１が刻時されたならば、タイミング・クロージャ違反が生じたこと、またはタイミング・クロージャが保証され得ないことを警告するために、割込み信号２７を発生させる。
【００１５】
したがって、図１に示された集積回路は、１つまたは複数のパイプライン・ステージのためのタイミング・クロージャ監視回路を備え、タイミング・クロージャ違反が生じた場合、タイミング・クロージャ違反が予測される場合、またはタイミング・クロージャが保証され得ない場合に、各パイプライン・ステージでは、個別に割込み信号２７、３３を発生させる。
【００１６】
本発明は、タイミング・クロージャをリアルタイムで動的に監視し、それによって、集積回路の設計パラメータが変更されたときに発生し得る潜在的なタイミング問題を回避できるようにするという利点を有する。
【００１７】
割込み信号２７、３３を介した割込みの発動を利用して、安全機構を作動させることができる。図１の実施形態において、各パイプライン・ステージは、割込みハンドラに直接結合されるサンプリング・ポイントを有するので、割込み信号の発生は、瞬間的である。
【００１８】
留意すべきことに、基準検査ユニット２５は、監視対象の複製パス１９とは異なるパイプライン・ステージに配置されているが、代替として、ステージＡの基準検査ユニット３１の入力がステージＡの複製パス１９の出力を受信するように接続して、回路を構成することができ、それによって、基準検査ユニット３１、基準発生ユニット２４、および複製パス１９を同一のパイプライン・ステージ内に収めることができる。同様の方式により、ステージＢの複製パス２１からの出力は、ステージＢの基準検査ユニット２５の入力に接続されることができる。
【００１９】
図２は、割込み信号が１つのパイプライン・ステージと別のパイプライン・ステージの間に供給され、それによって、複数の別々の割込み信号を並列に提供する代わりに、直列の割込み信号を提供する、代替実施形態を示したものである。上の図１の場合と同様に、集積回路１は、クロック信号１３によって刻時される様々な処理ユニット７、９、１１を接続するための、複数の論理パス３、５（例えばパイプライン・ステージ）を備える。論理パス３は、複製パス１９によって複製され、一方、論理パス５は、複製パス２１によって複製される。複製パス１９、２１は、遅延および構成に関して、それぞれ対応する論理パス３、５と類似の特性を有する。
【００２０】
複製パス１９は、基準発生ユニット（ＲＧＵ）２４からパルス入力基準信号２３を受信する。パルス基準信号２３は、クロック信号１３と同期する。好ましくは、パルス基準信号２３は、クロック信号２３の立ち上がりエッジと同期する。パルス基準信号２３は、複製パス１９の中を通され、その出力２３ｂは、論理関数ユニット３５に接続される。パルス基準信号２３ｂ（すなわち、複製パス１９を通過した後）を受信することに加えて、論理関数ユニット３５は、基準検査ユニット３１によって発生させられた割込み信号２７も受信する。割込み信号２７のステータスは、先行ステージのタイミング・クロージャ監視回路のステータスに依存する。論理関数ユニット３５の出力信号３９は、基準検査ユニット２５に接続される。割込み信号３３は、以下の状況において、基準検査ユニット２５の出力で発生させられる。第１に、割込み信号２７が集積回路の先行ステージによって発生させられたならば、論理関数ユニット３５は、出力信号３９を生成し、基準検査ユニット２５がクロック信号１３によって刻時されている場合、今度は出力信号３９が、基準検査ユニット２５に割込み信号３３を発生させる。言い換えると、この状況では、パルス基準信号２３ｂのステータスに関係なく、割込み信号２７は伝播する。
【００２１】
しかし、割込み信号２７が、先行ステージではタイミング・クロージャ違反が生じていないことを示す場合は、基準検査ユニット２５の出力は、パルス基準信号２３ｂのステータスに依存する。図１の場合と同様に、複製パス１９および論理関数ユニット３５を介してパルス基準信号２３を受信した後で、基準検査ユニット２５が刻時されるならば、割込み信号３３を発生させることはない。一方、複製パス１９および論理関数ユニット３５を介してパルス基準信号２３を受信する前に、基準検査ユニット２５が刻時されたならば、これは、タイミング・クロージャが保証され得ないほど、複製パスがパルス基準信号２３を遅延させていることを意味しており、したがって、割込み信号３３を発生させる。
【００２２】
以上のことから、図２の実施形態が、集積回路の２以上のステージを通って伝播する直列の割込み信号を提供することが理解できる。
【００２３】
タイミング・クロージャ違反が予想または検出されるたびに、このイベントは、システム構成に応じて、実行中アプリケーションまたはコントローラに、割込み信号として報告される。例えば、電力管理ソフトウェアを備えるシステムでは、タイミング・クロージャ違反が生じた場合の適切な措置をソフトウェアが講じることができるように、割込みを発生させる。
【００２４】
図３は、複製パスで使用されるパルス基準信号２３のタイミングのさらなる詳細を、クロック信号１３と比較して示したものである。図は、パルス基準信号２３の立ち上がりエッジが、所定の時間だけクロック信号の立ち上がりエッジから遅延されていることを示している。好ましくは、所定の時間は、
ｐｒｏｐ＿ｄｅｌａｙ−（１／２）ｄｅｓｉｇｎ＿ｍａｒｇｉｎ
に等しい。
【００２５】
言い換えると、パルス基準信号２３は、論理パスを駆動する処理ユニットの伝播遅延から設計余裕の半分を差し引いたのに等しい時間だけ、クロック信号１３に対して遅延させられる。例えば、処理ユニット７、９、１１がフリップフロップならば、フリップフロップの入力ＣＫで生じたイベントから出力Ｑでイベントが観察されるまでの伝播遅延（Ｄｆｆ）が、伝播遅延（すなわちＣＫ２Ｑ＿Ｄｆｆ）として取られる。
【００２６】
基準パルスのパルス幅は、好ましくは設計余裕と等しい。例えば、安全な通常速度の設計の場合、設計余裕は、クロック・サイクルの１５から２０％までとすることができる。代替として、挑戦的な設計の場合、パルス基準信号２３の幅は、クロック・サイクルの３から４％の間に減らすことができる。後者の設計は極限状況においてタイミング・クロージャを検出するだけであることは理解されるであろう。設計余裕は、処理ユニット７、９、１１のフリップフロップのセットアップ時間に関する制約も含んでいる。
【００２７】
好ましい実施形態は標準的な基準パルスを使用するが、その他の形態の基準パルスも使用できることに留意されたい。
【００２８】
図４は、本発明の好ましい実施形態によるクリティカル・パスの決定に関わるステップを示したものである。ステップ４０１において、システムは、処理ユニットの間のクリティカル・パスを、例えば、フリップフロップ・バンクの間のクリティカル・パスを識別する。このステップは、集積回路の１つまたは複数のパイプライン・ステージに対して実行される。このステップは複雑であるが、通常は標準的な設計方法によってサポートされ、そのような方法は、設計においてより悪い可能なクリティカル・パスの完全な記述を設計者に提供する。好ましくは、そのようなパスは、境界でフリップフロップを含んではならない。次に、ステップ４０３において、クリティカル・パスが分解される。それには、パスをバッファリング・ステージに、すなわち反転出力を生成しないステージに分解することが必要である。各ステージは、遅延およびトランジスタ数によって特徴づけられる。次に、ステップ４０５において、各ステージが構成される。それには、ステップ４０３において決定された各ステージを、同じ数のトランジスタおよび同じ遅延（および物理的に同じような面積）を有するように構成されたバッファで置き換えることが必要である。次に、ステップ４０７において、パスが合成される。それには、ステップ４０５において構成されたバッファを使用して、クリティカル・パスを複製することが必要である。その結果、複製パスは、作動条件が変更された場合、元のパスに対して非常に類似した挙動をとる。
【００２９】
本発明による複製パスを提供することで、タイミング・クロージャを監視し、タイミング違反が生じた場合には是正措置をとることが可能になる。
【００３０】
好ましい実施形態は、複製パスを各パイプライン・ステージにもつことに関するが、複製パスを特定のパイプライン・ステージだけに使用できることは理解されるであろうことに留意されたい。例えば、設計過程でタイミング・エラーまたは問題が想定されたパイプライン・ステージだけに複製パスの使用を限定することができる。
【００３１】
さらに、好ましい実施形態は、並列の使用を別々に示しているが、これらを組み合わせて、同じ集積回路の異なる場所またはステージで使い分けできることに留意されたい。例えば、集積回路は、タイミング問題が生じやすそうなパイプライン・ステージによって並列割込み信号を発生させ、タイミング問題があまり生じそうにない複数のパイプライン・ステージでは単一の直列割込み信号を発生させることができる。
【００３２】
さらに、複製パスは好ましくは、複製元のパスと同じ特性を有するバッファ・ステージから構成されるが、元のパスと同じ特性を有するならば、その他のゲートも使用できることが知られている。さらに、複製パスは、元のパスと正確に同じ構成要素を備えることができるが、そうした場合には、設計の複雑さがより増し、面積が浪費される。
【００３３】
上で説明した本発明は、集積回路が作動状態にある時にタイミング・クロージャまたはタイミング・クロージャの可能性を動的に決定できるようにする、集積回路のためのタイミング・クロージャ監視回路を提供する。この回路は、環境条件の変動を補償するために回路パラメータが使用中に変更される集積回路における使用に特に適している。
【図面の簡単な説明】
【００３４】
【図１】本発明の第１の側面によるタイミング・クロージャ監視回路の図である。
【図２】本発明の第２の側面によるタイミング・クロージャ監視回路の図である。
【図３】図１および図２のタイミング・クロージャ監視回路において使用される基準パルスのタイミング図である。
【図４】クリティカル・パスがどのように決定され得るかを説明するフローチャートである。
【図１】
2006527848.tif 000003
【図２】
2006527848.tif 000004
【図３】
2006527848.tif 000005
【図４】
2006527848.tif 000006
【手続補正書】
【提出日】平成18年4月12日(2006.4.12)
【手続補正１】
【補正対象書類名】明細書
【補正対象項目名】００３１
【補正方法】変更
【補正の内容】
【００３１】
さらに、好ましい実施形態は、並列割り込みと直列割り込みの使用を別々に示しているが、これらを組み合わせて、同じ集積回路の異なる場所またはステージで使い分けできることに留意されたい。例えば、集積回路は、タイミング問題が生じやすそうなパイプライン・ステージによって並列割込み信号を発生させ、タイミング問題があまり生じそうにない複数のパイプライン・ステージでは単一の直列割込み信号を発生させることができる。
【国際調査報告】
2006527848.tif 000007
2006527848.tif 000008
2006527848.tif 000009